(57)【要約】      （修正有）【課題】布団カバー本体の隅部に設けられた紐状係止部と、布団カバー本体に収容した敷き布団又は掛け布団の隅部に設けられた被係止部との連繋作業が容易に行えて、布団カバー本体と布団との位置ずれを防止できる布団カバーを提供する。【解決手段】布団カバー本体１１又は２１に敷き布団又は掛け布団を収容し、布団カバー本体の隅部に設けられた紐状係止部１５ａ，１５ｂ又は２５ａ，２５ｂを布団の隅部に設けられた被係止部に連繋し布団の位置ずれを防止する布団カバー１０又は２０である。布団カバー本体１１又は２１には、上部側の左右の隅部に、手通し用開口部１３ａ，１３ｂを有しかつ該手通し用開口部１３ａ，１３ｂを閉塞する閉塞手段１４ａ，１４ｂを有する。布団カバー本体１１又は２１は、綿布製又は綿を含む混紡布により複数回の洗濯により縮んだときの長さがロングサイズの布団よりも長く縫製され、上側及び一側が閉じかつ下側が開いた状態で、他側が下端から上端近くまでジッパー１２又は２２により開閉自在とされ、片面をほぼ三角形の二つ折りに開ける。【選択図】図１
0003144882.tif 000002
【実用新案登録請求の範囲】
【請求項１】
布団カバー本体に敷き布団又は掛け布団を収容し、前記布団カバー本体の隅部に設けられた紐状係止部を前記布団の隅部に設けられた被係止部に連繋し布団の位置ずれを防止する布団カバーにおいて、
前記布団カバー本体には、上部側の左右の隅部に、前記紐状係止部と前記被係止部とを連携するために手を通せる手通し用開口部を有しかつ該手通し用開口部を閉塞する閉塞手段を有する、
ことを特徴とする掛け布団カバー。
【請求項２】
前記布団カバー本体は、綿布製又は綿を含む混紡布により複数回の洗濯により縮んだときの長さが標準サイズ又はロングサイズの布団よりも長く維持されるように縫製され、上側及び一側が閉じかつ下側が開いた状態で、他側が下端から上端近くまでジッパーにより開閉自在とされ、片面をほぼ三角形の二つ折りに開ける、
ことを特徴とする請求項１に記載の布団カバー。
【請求項３】
前記布団カバー本体には、更に、下部側の左右の隅部に、前記紐状係止部と前記被係止部とを外部に取り出し連携して内部に収めるための手通し用開口部を有しかつ該手通し用開口部を閉塞する閉塞手段を有する、
ことを特徴とする請求項１に記載の布団カバー。
【請求項４】
前記敷き布団を収容する前記布団カバー本体の片面には、前記敷き布団の中央線に沿って人が寝たときの腰部の位置に、バスタオル等の布地を折り畳んで収容し得るポケットを備えている、
ことを特徴とする請求項１ないし３のいずれかに記載の掛け布団カバー。
【考案の詳細な説明】
【技術分野】
【０００１】
本考案は、布団の位置ずれを防止できる布団カバーに関する。
【背景技術】
【０００２】
布団カバー本体内の隅部に設けられた紐状係止部と、布団カバー本体に収容した敷き布団又は掛け布団の隅部に設けられた被係止部とを連繋し、布団カバー本体と布団との位置ずれを防止することが従来から行われている。この場合、紐状係止部と被係止部との括り付けは、作業者（主婦）が、布団カバー本体に布団を収容した後、布団カバー本体内に手を布団の隅部へ深く入れ見え難い状況で行うか、或いは布団カバー本体外まで布団カバー本体と布団の隅部とを引出して行っており、いずれにしても、布団カバー本体内の隅部及び布団カバー本体内に収容した布団の隅部まで手を深く入れる作業を余儀なくされる。
【０００３】
布団の位置ずれを防止できる布団カバーとして、例えば、特許文献１が提案されている。この布団カバーは、内部の縁部に細帯片を縫着し、細帯片によって構成される多数の通し孔を列状に備え、紐の取付け位置を自由に変更することができる。
【特許文献１】特開２００２−８５２２８号公報
【考案の開示】
【考案が解決しようとする課題】
【０００４】
しかしながら、特許文献１に記載された布団カバーによれば、上記したように、紐状係止部と被係止部との括り付けは、作業者（主婦）が布団カバー本体内に深く手を入れて、作業空間が狭く、手を動かしにくく、見にくい状況で手作業にて行う必要がある点では、上述した従来の状況と変わるものではない。
【０００５】
本考案は、上述した点にかんがみ案出されたもので、その目的とするところは、布団カバー本体内に深く手を入れることなく、布団カバー本体の隅部に設けられた紐状係止部と、布団カバー本体に収容した敷き布団又は掛け布団の隅部に設けられた被係止部との連繋作業が容易に行えて、布団カバー本体と布団との位置ずれを防止することができる布団カバーを提供することにある。
【課題を解決するための手段】
【０００６】
上記課題を解決するために、本考案の布団カバーは、布団カバー本体に敷き布団又は掛け布団を収容し、前記布団カバー本体の隅部に設けられた紐状係止部を前記布団の隅部に設けられた被係止部に連繋し布団の位置ずれを防止する布団カバーにおいて、前記布団カバー本体には、上部側の左右の隅部に、前記紐状係止部と前記被係止部とを連携するために手を通せる手通し用開口部を有しかつ該手通し用開口部を閉塞する閉塞手段を有する、ことを特徴とする。
【０００７】
上記構成の布団カバーによれば、布団カバー本体に敷き布団又は掛け布団を収容し、布団カバー本体の上部側の左右の隅部に設けられた手通し用開口部の閉塞手段を開いて紐状係止部と被係止部とを外部へ引出し連繋する（括り付ける）ことができ、連繋した後は紐状係止部と被係止部を中に入れ閉塞手段で手通し用開口部を閉塞すると外観が綺麗に保たれる。このように、布団カバー本体に深く手を入れて連繋作業を行う必要はない。布団カバー本体と布団とは、上部側の左右の隅部で紐状係止部を被係止部とが連繋させるので、布団を敷き、また片づけるときは、布団カバー本体と布団の上部側を持って行うようにすれば、布団カバー本体と布団との位置ずれを防止できる。
【０００８】
上記構成の布団カバーにおいて、前記布団カバー本体は、綿布製又は綿を含む混紡布により複数回の洗濯により縮んだときの長さが標準サイズ又はロングサイズの布団よりも長く維持されるように縫製され、上側及び一側が閉じかつ下側が開いた状態で、他側が下端から上端近くまでジッパーにより開閉自在である構成とすることが好ましい。
この構成にするときは、ジッパーを開いて上面部を三角に折り開くことができるので、従来のように布団を三つ折りにする必要がなく、広げたままの状態で、敷き布団又は掛け布団の収容・取り出しが容易にできる。標準サイズの布団カバーに標準サイズの敷き布団を収容する場合及びロングサイズの布団カバーにロングサイズの敷き布団を収容する場合は、布団下方に例えば約１０ｃｍの余り部分がでる。このような余り部分がでることにより、布団カバー本体を数回洗濯することにより該布団カバー本体が縮んでも、替わりなく行うことができる。標準サイズの敷き布団及びロングサイズの敷き布団と掛け布団については、布団下方に例えば約１０ｃｍの余り部分がでる場合には、布団カバー本体を数回洗濯することにより該布団カバー本体が縮んでも、ロングサイズの布団より短くならないが、外方から布団の下部が見える。そこで、この余り部分に面状ファスナや紐、ボタン等を敷設しておいて、該余り部分を閉塞すれば良い。
ロングサイズの布団カバーは、標準サイズとロングサイズの敷き布団に共用することができ、標準サイズに適用する場合には、この余り部分が約４０ｃｍになり大きいので、折り畳んで仕舞い込むものとする。その場合、敷き布団用の布団カバー本体の余り部分については、内方に折り込みかつ布団の下側に折畳み、掛け布団用の布団カバー本体の余り部分については、敷き布団用の布団カバー本体の余り部分に挿入しかつ敷き布団の下側に仕舞い込むのが良い。
掛け布団カバーと敷き布団カバーを連結することによって、掛け布団と敷き布団が一体化し、ずれるようなことがなくなる。寝袋（シュラーフザック）のようになり、体温が保たれる。
【０００９】
上記構成の布団カバーにおいて、前記布団カバー本体には、更に、下部側の左右の隅部に、前記紐状係止部と前記被係止部とを外部に取り出し連携して内部に収めるための手通し用開口部を有しかつ該手通し用開口部を閉塞する閉塞手段を有する構成とすることが好ましい。
この構成にするときは、敷き布団又は掛け布団をぴったり収容し得る大きさに布団カバー本体を縫製し、該布団カバー本体に敷き布団又は掛け布団を収容し、布団カバー本体の四つの隅部に設けられた手通し用開口部を開いて内部に手を入れて紐状係止部を被係止部とを引出して連繋することができる。布団カバー本体と布団とは、四つの隅部で紐状係止部を被係止部とが連繋しているから、布団を敷き、また片づけるときは、布団カバー本体と布団のいずれを持って行っても、布団カバー本体と布団との位置ずれを防止することができる。なお、このタイプの布団カバーは、洗濯して縮むと、布団を十分に広げた状態に収容することは難しくなる。
【００１０】
上記構成の布団カバーにおいて、前記敷き布団を収容する前記布団カバー本体の片面には、前記敷き布団の中央線に沿って人が寝たときの腰部の位置に、バスタオル等の布地を折り畳んで収容し得るポケットを備えた構成とすることが好ましい。
この構成にするときは、ポケットにバスタオル等の布地を折り畳んで収容し得、仰向けに寝たときに布地が位置ずれしないで腰部の凹みにフィットするので背骨が真っ直ぐになり、腰痛を緩和又は回避できる。
【考案の効果】
【００１１】
本考案に係る布団カバーによれば、布団カバー本体内に深く手を入れることなく、手通し用開口部の閉塞手段を開け閉めすることにより、布団カバー本体の隅部に設けられた紐状係止部と、布団カバー本体に収容した敷き布団又は掛け布団の隅部に設けられた被係止部との連繋作業を容易に行えて、布団カバー本体と布団との位置ずれを防止することができ、連繋部を仕舞い込みできるので、布団カバー本体を外観上綺麗に保てる。
【考案を実施するための最良の形態】
【００１２】
以下に、本考案の実施形態に係る布団カバーについて図面を参照して説明する。
【００１３】
〔第１の実施形態〕
図１は、第1の実施形態に係り、上側に掛け布団用の布団カバー１０を、下側に敷き布団用の布団カバー２０を示している。この実施形態の布団カバー１０，２０は、数回洗濯すると長さ方向に例えば約５ｃｍ〜８ｃｍ縮む綿布又は綿を含む混紡布で縫製されていて、洗濯による縮み代を考慮して長さを標準サイズ又はロングサイズの長さよりも大きく（図中寸法α１，α２≒約７ｃｍ〜１０ｃｍ）縫製されている。ロングサイズの長さよりも大きい長さにしたものを、標準サイズの長さの布団に適用する場合を含んでいる。
【００１４】
図１に示すように、掛け布団用の布団カバー１０は、上面部１１ａ及び下面部１１ｂによって構成され一側及び下端が開いている布団カバー本体１１と、布団カバー本体１１の一側縁に沿って設けられ該一側を開閉するジッパー１２と、布団カバー本体１１の上部側の左右の隅部に設けられた手を通せるほどの大きさの手通し用開口部１３ａ，１３ｂと、手通し用開口部１３ａ，１３ｂ内に設けられ該手通し用開口部１３ａ，１３ｂを開閉する開口部開閉手段１４ａ，１４ｂと、布団カバー本体１１内の上部側の左右の隅部に設けられた紐状係止部１５ａ，１５ｂと、上面部１１ａ及び下面部１１ｂの内面下端縁に沿って設けられに布団カバー本体１１の下部を閉じ合わせる面ファスナ１６ａ，１６ｂと、上面部１１ａに設けられた掛け布団のデザインが見えるようにしてデザイン性を高めるための掛け布団露出用開口１７と、を備えてなる。
【００１５】
布団カバー本体１１は、上側及び一側が閉じかつ下側が開いた状態で、他側が下端から上端近くまでジッパー１２により開閉自在とされ、掛け布団を収容するために片面をほぼ三角形の二つ折りに開けられる。上面部１１ａ及び下面部１１ｂは、一枚の生地を折り畳んでなるか、或いは二枚の生地を継ぎ足してなり、縮み方向が上下方向となるように選択されている。この実施形態の布団カバー本体１１は、標準サイズの布団の長さ（約２００ｃｍ）よりも所要寸法（例えば約１０ｃｍ）長く縫製されている。好ましくは、標準サイズの布団とロングサイズの布団に兼用するために、ロングサイズの布団の長さ（約２１０ｃｍ）よりも所要寸法（例えば約１０ｃｍ）長く縫製されているのが良い。この長い分（例えば約１０ｃｍ）は、布団カバー本体１１が、綿布製又は綿を含む混紡布により複数回の洗濯により縮んだときの縮み代である。露出用開口１７は、掛け布団を大きく露出させるために設けられるが無くても良い。開口部開閉手段１４ａ，１４ｂとして、面ファスナ、ジッパー、ボタン等を用いることができる。紐状係止部１５ａ，１５ｂとして、縛り付け又は括り付けができる紐、あるいは、布地に面ファスナを縫い付けたものとしても良い。
【００１６】
掛け布団用の布団カバー１０は、ジッパー１２を開いて上面部１１ａを二点鎖線で示すように三角に折り開き掛け布団を収容しジッパー１２を閉じる。次いで、開口部開閉手段１４ａ，１４ｂを開いて手通し用開口部１３ａ，１３ｂを通し内部に手を入れて、布団カバー本体１１の隅部に設けられた紐状係止部１５ａ又は１５ｂを、図２に示すように、布団Ｑの隅部に設けられた紐状の被係止部ｐ１又は布団Ｑの隅部に対して斜め掛けし両端を縫い付けた被係止部ｐ２に連繋する（括り付ける）。この場合、紐状の被係止部ｐ１が比較的長いときは、該被係止部ｐ１を紐状係止部１５ａ又は１５ｂとともに外部に引出して連繋することができる。
【００１７】
敷き布団用の布団カバー２０は、掛け布団用の布団カバー１０Ａと同様に、上面部２１ａ及び下面部２１ｂによって構成される布団カバー本体２１と、布団カバー本体２１の一側を開閉するジッパー２２と、布団カバー本体２１の上部側の左右の隅部に設けられた手通し用開口部２３ａ，２３ｂと、手通し用開口部２３ａ，２３ｂ内に設けられ該手通し用開口部２３ａ，２３ｂを開閉する開口部開閉手段２４ａ，２４ｂと、布団カバー本体２１内の上部側の左右の隅部に設けられた紐状係止部２５ａ，２５ｂと、上面部２１ａ及び下面部２１ｂに設けられ布団カバー本体２１の下部を閉じ合わせる面ファスナ２６，２６ｂと、上面部２１ａの内面に縫製されたポケット２７と、を備えてなる。
【００１８】
布団カバー本体２１は、布団カバー本体１１と略同様に構成されているので、相違点を中心に説明する。布団カバー本体２１は、綿布製又は綿を含む混紡布により複数回の洗濯により縮んだときの長さがロングサイズの敷き布団よりも長く縫製され、上側及び一側が閉じかつ下側が開いた状態で、他側が下端から上端近くまでジッパー２２により開閉自在とされ、片面をほぼ三角形の二つ折りに開ける。布団カバー本体２１は、露出用開口１７に対応する露出用開口を有していない一方、上面部２１ａの略中央部にポケット２７を有している。このポケット２７には、例えば、バスタオル２〜３枚を三つ折りにして縦長に収容できる。すなわち、このポケット２７にバスタオル等の布地を折り畳んで収容することで、仰向けに寝たときにバスタオル等の布地が位置ずれしないで腰部の凹みにフィットし、これにより、背骨が真っ直ぐになり、腰痛を緩和又は回避できる。
【００１９】
敷き布団用の布団カバー２０は、ジッパー２２を開いてここから敷き布団を収容しジッパー２２を閉じる。次いで、開口部開閉手段２４ａ，２４ｂを開いて手通し用開口部２３ａ，２３ｂを通し内部に手を入れて、布団カバー本体２１の二つの隅部に設けられた紐状係止部２５ａ，２５ｂを、図２に示すように、布団Ｑの隅部に設けられた紐状の被係止部ｐ１又はコーナーに対して斜め掛けして両端を縫い付けた被係止部ｐ２に連繋し（括り付け）、開口部開閉手段２４ａ,２４ｂを閉じる。
【００２０】
上記構成の布団カバー１０，２０によれば、布団カバー本体と布団とは、二つの隅部で紐状係止部を被係止部とが連繋しているから、布団を敷き、また片づけるときは、布団カバー本体と布団の上部側を持って行うことで、布団カバー本体と布団との位置ずれを防止することができる。
従来では、布団を折り畳んでジッパーから出し入れしていたので、出し入れが大変だったとともに、ジッパーが壊れてしまうことがあったが、上記構成の布団カバー１０，２０によれば、布団を三つ折り、四つ折りにしないで、広げたままの状態で布団カバー１０，２０に対し出し入れできるので、ファスナーを壊してしまう虞がなくなった。
〔第２の実施形態〕
図３は、第２の実施形態に係り、上側に掛け布団用の布団カバー３０を、下側に敷き布団用の布団カバー４０を示している。この実施形態の布団カバー３０，４０は、布団カバーを選択したときの縮み代を考慮していない。すなわち、布団カバー３０に掛け布団をぴったり収容でき、また布団カバー４０をぴったり収容できる、実施形態を示している。したがって、この実施形態では、布団カバー３０，４０は、綿製ではなく、縮みが生じにくい布で縫製されているのが良い。
【００２１】
掛け布団用の布団カバー３０は、上面部３１ａ及び下面部３１ｂによって構成される布団カバー本体３１と、布団カバー本体３１の一側を開閉するジッパー３２と、布団カバー本体３１の四つの隅部に設けられた手通し用開口部３３ａ〜３３ｄと、手通し用開口部３３ａ〜３３ｄ内に設けられ該手通し用開口部３３ａ〜３３ｄを開閉する開口部開閉手段３４ａ〜３４ｄと、布団カバー本体３１内の上部側の左右の隅部に設けられた紐状係止部３５ａ〜３５ｄと、を備えてなる。
【００２２】
掛け布団用の布団カバー３０、ジッパー３２を開いてここから三つ折りにした掛け布団を収容しジッパー３２を閉じる。次いで、開口部開閉手段３４ａ〜３４ｄを開いて手通し用開口部３３ａ〜３３ｄを通し内部に手を入れて、布団カバー本体３１の四つの隅部に設けられた紐状係止部３５ａ〜３５ｄを、図２に示すように、布団Ｑの隅部に設けられた紐状の被係止部ｐ１又はコーナーに対して斜め掛けして両端を縫い付けた被係止部ｐ２に連繋し（括り付け）、開口部開閉手段３４ａ〜３４ｄを閉じる。
【００２３】
敷き布団用の布団カバー４０は、掛け布団用の布団カバー３０と同様に、上面部４１ａ及び下面部４１ｂによって構成される布団カバー本体４１と、布団カバー本体４１の一側を開閉するジッパー４２と、布団カバー本体４１の四つの隅部に設けられた手通し用開口部４３ａ〜４３ｄと、手通し用開口部４３ａ〜４３ｄ内に設けられ該手通し用開口部４３ａ〜４３ｄを開閉する開口部開閉手段４４ａ〜４４ｄと、布団カバー本体４１内の上部側の左右の隅部に設けられた紐状係止部４５ａ〜４５ｄと、上面部４１ａの内面に縫製されたポケット４７と、を備えてなる。このポケット４７にバスタオル等の布地を折り畳んで収容することで、腰痛を緩和又は回避に役立つ。
【００２４】
敷き布団用の布団カバー４０は、ジッパー４２を開いてここから三つ折りにした敷き布団を収容しジッパー４２を閉じる。次いで、開口部開閉手段４４ａ〜４４ｄを開いて手通し用開口部４３ａ〜４３ｄを通し内部に手を入れて、布団カバー本体３１の四つの隅部に設けられた紐状係止部４５ａ〜４５ｄを、図２に示すように、布団Ｑの隅部に設けられた紐状の被係止部ｐ１又はコーナーに対して斜め掛けして両端を縫い付けた被係止部ｐ２に連繋し（括り付け）、開口部開閉手段４４ａ〜４４ｄを閉じる。
【００２５】
上記構成の布団カバー３０，４０によれば、布団カバー本体に敷き布団又は掛け布団を収容し、布団カバー本体の上部側の左右の隅部に設けられた手通し用開口部を開いて内部に手を入れて紐状係止部と被係止部とを引出して連繋することができる。布団カバー本体と布団とは、四つの隅部で紐状係止部を被係止部とが連繋しているから、布団を敷き、また片づけるときは、布団カバー本体と布団のいずれの辺を持って行っても、布団カバー本体と布団との位置ずれを防止することができる。
【００２６】
本考案は上記第１及び第２の実施の形態に限定されるものでなく、実用新案登録請求の範囲に記載された考案の要旨を逸脱しない範囲内での種々、設計変更した形態を技術的範囲に含むものである。
【図面の簡単な説明】
【００２７】
【図１】第１の実施形態に係り、掛け布団用の布団カバーと敷き布団用の布団カバーとを示す斜視図である。
【図２】掛け布団又は敷き布団のコーナーの拡大図である。
【図３】第２の実施形態に係り、掛け布団用の布団カバーと敷き布団用の布団カバーとを示す斜視図である。
【符号の説明】
【００２８】
１０、２０、３０、４０  布団カバー
１１、２１、３１、４１  布団カバー本体
１１ａ、２１ａ、３１ａ、４１ａ  上面部
１１ｂ、２１ｂ、３１ｂ、４１ｂ  下面部
１２、２２、３２、４２  ジッパー
１３ａ，１３ｂ、２３ａ，２３ｂ、３３ａ〜３３ｄ、４３ａ〜４３ｄ  手通し用開口部
１４ａ，１４ｂ、２４ａ，２４ｂ、３４ａ〜３４ｄ、４４ａ〜４４ｄ  開口部開閉手段
１５ａ，１５ｂ、２５ａ，２５ｂ，３５ａ〜３５ｄ、４５ａ〜４５ｄ  紐状係止部
１６ａ，１６ｂ、２６ａ，２６ｂ  面ファスナ
１７  掛け布団露出用開口
２７、４７  ポケット
Ｑ  布団
【図１】
0003144882.tif 000003
【図２】
0003144882.tif 000004
【図３】
0003144882.tif 000005